(57)【要約】ナビゲーション情報表示方法及び装置であって、ナビゲーション情報表示方法は、現在位置及び方向転換交差点の位置を取得するステップＳ１１と、現在位置と方向転換交差点の位置との間の交差点特徴を分析して、方向転換交差点の自然地物特徴を決定するステップＳ１２と、方向転換交差点の自然地物特徴を表示するステップＳ１３とを含む。当該方法は、ユーザが迅速かつ正確にナビゲーションが案内する交差点を見いだすことを容易にし、ユーザエクスペリエンスを向上させることができる。【選択図】図１
2019522801.tif 000002
【特許請求の範囲】
【請求項１】
ナビゲーション情報表示方法であって、
現在位置及び方向転換交差点の位置を取得するステップと、
前記現在位置と前記方向転換交差点の位置との間の交差点特徴を分析して、前記方向転換交差点の自然地物特徴を決定するステップと、
前記方向転換交差点の前記自然地物特徴を表示するステップとを含むナビゲーション情報表示方法。
【請求項２】
前記方向転換交差点の前記自然地物特徴が複数である場合、
選択された一つの前記自然地物特徴を表示するように、前記自然地物特徴の優先度に基づいて、複数の前記自然地物特徴から、優先度が最も高い前記自然地物特徴を一つ選択するステップを含む請求項１に記載のナビゲーション情報表示方法。
【請求項３】
前記自然地物特徴は、交通信号交差点、十字路交差点、二つ目の交通信号交差点、二つ目の十字路交差点、二つ目の交差点、道路の突き当たり、トンネル内、橋通過後の所定距離又は次の交差点、トンネル通過後の所定距離又は次の交差点、交通信号交差点通過後の所定距離又は次の交差点、十字路交差点通過後の所定距離又は次の交差点のうち、少なくとも一つを有する請求項１又は請求項２に記載のナビゲーション情報表示方法。
【請求項４】
前記方向転換交差点の前記自然地物特徴を表示するステップは、
ナビゲーションパネルにテキストの形式で前記方向転換交差点の前記自然地物特徴を表示するステップ、及び／又は、
音声放送の形式で、前記方向転換交差点の前記自然地物特徴を放送するステップを含む請求項１から請求項３のいずれかに記載のナビゲーション情報表示方法。
【請求項５】
前記方向転換交差点に前記自然地物特徴が存在しない場合、通常のナビゲーション情報を表示するステップを含む請求項１から請求項４のいずれかに記載のナビゲーション情報表示方法。
【請求項６】
ナビゲーション情報表示装置であって、
現在位置及び方向転換交差点の位置を取得するための取得モジュールと、
前記現在位置と前記方向転換交差点の位置との間の交差点特徴を分析して、前記方向転換交差点の自然地物特徴を決定するための決定モジュールと、
前記方向転換交差点の前記自然地物特徴を表示するための第１表示モジュールとを備えるナビゲーション情報表示装置。
【請求項７】
前記方向転換交差点の前記自然地物特徴が複数である場合に、選択された一つの前記自然地物特徴を表示するように、前記自然地物特徴の優先度に基づいて、複数の前記自然地物特徴から、優先度が最も高い前記自然地物特徴を一つ選択するための選択モジュールをさらに備える請求項６に記載のナビゲーション情報表示装置。
【請求項８】
前記自然地物特徴は、交通信号交差点、十字路交差点、二つ目の交通信号交差点、二つ目の十字路交差点、二つ目の交差点、道路の突き当たり、トンネル内、橋通過後の所定距離又は次の交差点、トンネル通過後の所定距離又は次の交差点、交通信号交差点通過後の所定距離又は次の交差点、十字路交差点通過後の所定距離又は次の交差点のうち、少なくとも一つを有する請求項６又は請求項７に記載のナビゲーション情報表示装置。
【請求項９】
前記第１表示モジュールは、具体的に、
ナビゲーションパネルにテキストの形式で前記方向転換交差点の前記自然地物特徴を表示し、及び／又は、
音声放送の形式で、前記方向転換交差点の前記自然地物特徴を放送する請求項６から請求項８のいずれかに記載のナビゲーション情報表示装置。
【請求項１０】
前記方向転換交差点に前記自然地物特徴が存在しない場合に、通常のナビゲーション情報を表示するための第２表示モジュールをさらに備える請求項６から請求項９のいずれかに記載のナビゲーション情報表示装置。
【請求項１１】
プロセッサと、
該プロセッサによって実行可能な命令を記憶するメモリとを備え、
前記プロセッサが、請求項１から請求項５のいずれかに記載のナビゲーション情報表示方法を実行するように構成される位置決め用装置。
【請求項１２】
非一時的なコンピュータ読み取り可能な記憶媒体であって、
命令が端末のプロセッサによって実行される場合に、前記端末が、請求項１から請求項５のいずれかに記載のナビゲーション情報表示方法を実行する非一時的なコンピュータ読み取り可能な記憶媒体。
【請求項１３】
コンピュータプログラム製品であって、
命令がプロセッサによって実行される場合に、請求項１から請求項５のいずれかに記載のナビゲーション情報表示方法を実行するコンピュータプログラム製品。
【発明の詳細な説明】
【優先権情報】
【０００１】
本願は、バイドゥ  オンライン  ネットワーク  テクノロジー  （ベイジン）  カンパニー  リミテッドが２０１６年０９月３０日付に提出した、発明の名称が「ナビゲーション情報表示方法及び装置」であり、中国特許出願番号が「２０１６１０８７５５９９．２」であるものの優先権を主張する。
【技術分野】
【０００２】
本願は、ナビゲーション技術分野に関し、特に、ナビゲーション情報表示方法及び装置に関する。
【背景技術】
【０００３】
ナビゲーションの簡易情報のパネル表示は、ナビゲーションの一つの基本的機能であり、運転者が運転過程において音声放送案内以外の運転情報を取得する重要な手段である。運転者がナビゲーション音声放送をはっきり聞き取れない場合、パネル情報は、運転者が次の方向転換交差点の情報を取得して、次の方向転換のために、例えば、事前に車線変更を行うなどの準備をするようにさせることができる。
【０００４】
関連技術において、通常表示される情報は、方向転換交差点から現在位置までの距離であり、運転者が当該距離に基づいて判断するようにさせる。しかし、運転者は、距離情報を比較的に把握しにくく、例えば、２００メートルと１５０メートルとを区別することができないため、ナビゲーションが案内する方向転換交差点を迅速かつ正確に見いだすことができず、道を間違うことがある。
【発明の概要】
【発明が解決しようとする課題】
【０００５】
本発明は、少なくとも関連技術における技術課題の一つをある程度で解決することを目的とする。
【０００６】
そのため、本発明の一つの目的は、ユーザが迅速かつ正確にナビゲーションが案内する交差点を見いだすことを容易にし、ユーザエクスペリエンスを向上させることができるナビゲーション情報表示方法を提供することである。
【０００７】
本発明のもう一つの目的は、ナビゲーション情報表示装置を提供することである。
【課題を解決するための手段】
【０００８】
上記目的を達成するために、本発明の第１態様の実施例により提供されるナビゲーション情報表示方法は、現在位置及び方向転換交差点の位置を取得するステップと、前記現在位置と前記方向転換交差点の位置との間の交差点特徴を分析して、前記方向転換交差点の自然地物特徴を決定するステップと、前記方向転換交差点の前記自然地物特徴を表示するステップとを含む。
【０００９】
本発明の第１態様の実施例により提供されるナビゲーション情報表示方法は、方向転換交差点の自然地物特徴を決定して表示することにより、自然地物特徴がユーザにより認識されやすいため、ユーザが迅速かつ正確にナビゲーションが案内する交差点を見いだすことを容易にし、ユーザエクスペリエンスを向上させることができる。
【００１０】
上記目的を達成するために、本発明の第２態様の実施例により提供されるナビゲーション情報表示装置は、現在位置及び方向転換交差点の位置を取得するための取得モジュールと、前記現在位置と前記方向転換交差点の位置との間の交差点特徴を分析して、前記方向転換交差点の自然地物特徴を決定するための決定モジュールと、前記方向転換交差点の前記自然地物特徴を表示するための第１表示モジュールとを含む。
【００１１】
本発明の第２態様の実施例により提供されるナビゲーション情報表示装置は、方向転換交差点の自然地物特徴を決定して表示することにより、自然地物特徴がユーザにより認識されやすいため、ユーザが迅速かつ正確にナビゲーションが案内する交差点を見いだすことを容易にし、ユーザエクスペリエンスを向上させることができる。
【００１２】
本発明の他の態様として、プロセッサと、該プロセッサによって実行可能な命令を記憶するためのメモリとを備え、前記プロセッサが、現在位置及び方向転換交差点の位置を取得し、前記現在位置と前記方向転換交差点の位置との間の交差点特徴を分析して、前記方向転換交差点の自然地物特徴を決定し、前記方向転換交差点の前記自然地物特徴を表示するように構成される位置決め用装置を提供する。
【００１３】
本発明の他の態様としてさらに提供される非一時的なコンピュータ読み取り可能な記憶媒体は、命令が端末のプロセッサによって実行される場合に、前記端末が、現在位置及び方向転換交差点の位置を取得し、前記現在位置と前記方向転換交差点の位置との間の交差点特徴を分析して、前記方向転換交差点の自然地物特徴を決定し、前記方向転換交差点の前記自然地物特徴を表示するナビゲーション情報表示方法を実行する。
【００１４】
本発明の他の態様としてさらに提供されるコンピュータプログラム製品は、命令がプロセッサによって実行される場合に、現在位置及び方向転換交差点の位置を取得し、前記現在位置と前記方向転換交差点の位置との間の交差点特徴を分析して、前記方向転換交差点の自然地物特徴を決定し、前記方向転換交差点の前記自然地物特徴を表示するナビゲーション情報表示方法を実行する。
【００１５】
本発明の付加的な特徴及び利点は、一部が以下の説明において示され、一部が以下の説明により明らかになり、又は本発明の実践により理解される。
【００１６】
本発明の付加的な特徴及び利点は、一部が以下の説明において示され、一部が以下の説明により明らかになり、又は本発明の実践により理解される。
【図面の簡単な説明】
【００１７】
本発明の上記及び／又は付加的な特徴及び利点は、図面を参照して実施形態について以下に説明することにより、明らかになり、理解されやすくなる。
【００１８】
【図１】本発明の一実施形態により提供されるナビゲーション情報表示方法の概略フローチャートである。
【図２】本発明の実施形態と通常の方式により表示されるナビゲーション情報との比較概略図である。
【図３】本発明の他の一実施形態により提供されるナビゲーション情報表示方法の概略フローチャートである。
【図４】本発明の一実施形態により提供されるナビゲーション情報表示装置の構造概略図である。
【図５】本発明の他の一実施形態により提供されるナビゲーション情報表示装置の構造概略図である。
【発明を実施するための形態】
【００１９】
以下、本発明の実施形態を詳細に説明する。実施形態における一例が図面に示され、同一又は類似する符号は、常に同一又は類似するモジュール、或いは、同一又は類似する機能を有するモジュールを示す。以下に、図面を参照しながら説明される実施形態は例示的なものであり、本発明を解釈するためだけに用いられ、本発明を限定するものと理解されるものではない。逆に、本発明の実施形態は、添付の特許請求の範囲に含まれる要旨及び内包範囲におけるあらゆる変化、修正及び均等物を含む。
【００２０】
図１は、本発明の一実施形態により提供されるナビゲーション情報表示方法の概略フローチャートである。
【００２１】
図１に示されるように、本実施形態に係る方法は、ステップＳ１１と、ステップＳ１２と、ステップＳ１３とを含む。
【００２２】
ステップＳ１１：現在位置及び方向転換交差点の位置を取得する。
【００２３】
全地球測位システム（Ｇｌｏｂａｌ  Ｐｏｓｉｔｉｏｎｉｎｇ  Ｓｙｓｔｅｍ、ＧＰＳ）により現在位置（ＣｕｒＰｏｓで示す）を取得し、ルート案内により次の方向転換交差点の位置（ＧｕｉｄｅＰｏｓで示す）を取得することができる。ここでいう方向転換交差点は、ナビゲーションの次の標識位置を指す意味であり、方向転換する必要のある位置であってもよいし、方向転換しない単なる分岐位置などであってもよい。
【００２４】
ステップＳ１２：現在位置と方向転換交差点の位置との間の交差点特徴を分析して、方向転換交差点の自然地物特徴を決定する。
【００２５】
交差点の自然地物特徴とは、例えば、交差点に信号機がある、交差点が規則的な十字路交差点である、道路の突き当たりにある、などのように交差点が有するいくつかの特徴を指し、一般的には、ユーザが比較的に判別しやすい特徴であってもよい。
【００２６】
具体的な自然地物特徴は、定義することができ、現在位置と方向転換交差点の位置との間の交差点特徴が、定義される自然地物特徴を満たすか否か、及び定義されたどの自然地物特徴を満たすかを分析することにより、方向転換交差点の自然地物特徴を決定することができる。
【００２７】
方向転換交差点の自然地物特徴は、例えば、表１に示すような各項のうち、少なくとも一つを有する。
【００２８】
【表１】
2019522801.tif 000003
【００２９】
ステップＳ１３：方向転換交差点の自然地物特徴を表示する。
【００３０】
方向転換交差点の自然地物特徴を決定した場合、自然地物特徴をナビゲーション情報として、方向転換交差点の他のナビゲーション情報と共に、ユーザに表示することができる。
【００３１】
例えば、図２を参照すると、左側は、通常表示されるナビゲーション情報の概略図であり、ナビゲーション情報は、方向転換タイプアイコン２１、方向転換交差点から現在位置までの距離２２、方向転換交差点の他の情報２３などを含む。本実施形態において、図２の右側に示されるように、ナビゲーション情報は、上記通常の情報を基に、自然地物特徴２４をさらに加える。
【００３２】
本実施形態において、方向転換交差点の自然地物特徴を決定して表示することにより、自然地物特徴がユーザにより認識されやすいため、ユーザが迅速かつ正確にナビゲーションが案内する交差点を見いだすことを容易にし、ユーザエクスペリエンスを向上させることができる。
【００３３】
図３は、本発明の他の実施形態により提供されるナビゲーション情報表示方法の概略フローチャートである。
【００３４】
図３に示されるように、本実施形態に係る方法は、ステップＳ３１と、ステップＳ３２と、ステップＳ３３と、ステップＳ３４と、ステップＳ３５と、ステップＳ３６とを含む。
【００３５】
ステップＳ３１：現在位置及び方向転換交差点の位置を取得する。
【００３６】
全地球測位システム（Ｇｌｏｂａｌ  Ｐｏｓｉｔｉｏｎｉｎｇ  Ｓｙｓｔｅｍ、ＧＰＳ）により現在位置（ＣｕｒＰｏｓで示す）を取得し、ルート案内により次の方向転換交差点の位置（ＧｕｉｄｅＰｏｓで示す）を取得することができる。
【００３７】
ステップＳ３２：現在位置と方向転換交差点の位置との間の交差点特徴を分析して、方向転換交差点に自然地物特徴が存在するか否かを判断し、存在する場合に、ステップＳ３４を実行し、存在しない場合、ステップＳ３３を実行する。
【００３８】
交差点の自然地物特徴とは、例えば、交差点に信号機がある、交差点が規則的な十字路交差点である、道路の突き当たりにある、などのように交差点が有するいくつかの特徴を指す。
【００３９】
具体的な自然地物特徴は、定義することができ、現在位置と方向転換交差点の位置との間の交差点特徴が、定義される自然地物特徴を満たすか否かを分析して、定義を満たす自然地物特徴が存在する場合、方向転換交差点に自然地物特徴が存在すると判断し、そうでない場合、存在しないと判断する。
【００４０】
ステップＳ３３：通常のナビゲーション情報を表示する。
【００４１】
例えば、図２の左側に示されるような、方向転換タイプアイコン、方向転換交差点から現在位置までの距離、方向転換交差点の名称などを含むナビゲーション情報を表示する。
【００４２】
ステップＳ３４：方向転換交差点の自然地物特徴を決定する。
【００４３】
現在位置と方向転換交差点の位置との間の交差点特徴が、定義される自然地物特徴を満たすか否かを分析して、定義を満たす自然地物特徴が存在する場合、存在する定義を満たす自然地物特徴を方向転換交差点の自然地物特徴として決定する。
【００４４】
ステップＳ３５：方向転換交差点の自然地物特徴が複数である場合、自然地物特徴の優先度に基づいて、複数の自然地物特徴から、優先度が最も高い自然地物特徴を一つ選択する。
【００４５】
各自然地物特徴の優先度を予め設定することができ、例えば、道路の突き当たり＞信号機＞橋＞トンネル＞十字路交差点＞二つ目の交差点という優先順位を設定することができる。
【００４６】
そのため、予め設定された優先順位に基づいて、既に決定された複数の自然地物特徴から、優先度が最も高い自然地物特徴を一つ選択することができる。
【００４７】
ステップＳ３６：選択された一つの方向転換交差点の自然地物特徴を表示する。
【００４８】
例えば、現在位置と方向転換交差点の位置との間の交差点の自然地物特徴を分析する。そのうち、方向転換交差点の自然地物特徴は、道路の突き当たりと、信号機とを含み、道路の突き当たりの優先度が信号機より高いため、道路の突き当たりを選択してナビゲーション情報に表示する。
【００４９】
さらに、方向転換交差点の自然地物情報を表示する場合、図２に示されるように、ナビゲーションパネルにテキストの形式で表示することができ、又は、方向転換交差点の自然地物情報を音声の形式でユーザに放送することもできる。
【００５０】
その後、ユーザ（例えば、運転者）の位置が変更された後、ステップＳ３１及びその後続のステップを繰り返し実行することができる。
【００５１】
本実施形態において、方向転換交差点の自然地物特徴を決定して表示することにより、自然地物特徴がユーザにより認識されやすいため、ユーザが迅速かつ正確にナビゲーションが案内する交差点を見いだすことを容易にし、ユーザエクスペリエンスを向上させることができる。さらに、優先度に基づいて自然地物特徴を一つ選択することにより、複数の自然地物特徴が存在する場合、最適な一つの自然地物特徴を選択して表示することができ、表示効果がさらに理想的になる。さらに、自然地物特徴が存在しない場合、通常のナビゲーション情報を表示するため、従来技術と互換性がある。
【００５２】
図４は、本発明の実施形態により提供されるナビゲーション情報表示装置の構造概略図である。
【００５３】
図４に示されるように、当該装置４０は、取得モジュール４１と、決定モジュール４２と、第１表示モジュール４３とを備える。
【００５４】
取得モジュール４１は、現在位置及び方向転換交差点の位置を取得する。
決定モジュール４２は、現在位置と方向転換交差点の位置との間の交差点特徴を分析して、方向転換交差点の自然地物特徴を決定する。
第１表示モジュール４３は、方向転換交差点の自然地物特徴を表示する。
【００５５】
一部の実施例において、図５に示されるように、方向転換交差点の自然地物特徴が複数である場合に、装置４０は、選択された一つの自然地物特徴を表示するように、自然地物特徴の優先度に基づいて、複数の自然地物特徴から、優先度が最も高い自然地物特徴を一つ選択する選択モジュール４４をさらに備えていてもよい。
【００５６】
一部の実施例において、自然地物特徴は、交通信号交差点、十字路交差点、二つ目の交通信号交差点、二つ目の十字路交差点、二つ目の交差点、道路の突き当たり、トンネル内、橋通過後の所定距離又は次の交差点、トンネル通過後の所定距離又は次の交差点、交通信号交差点通過後の所定距離又は次の交差点、十字路交差点通過後の所定距離又は次の交差点のうち、少なくとも一つを有していてもよい。
【００５７】
一部の実施例において、第１表示モジュール４３は、具体的には、ナビゲーションパネルにテキストの形式で方向転換交差点の自然地物特徴を表示し、及び／又は、音声放送の形式で、方向転換交差点の自然地物特徴を放送してもよい。
【００５８】
一部の実施例において、図５に示されるように、当該装置４０は、方向転換交差点に自然地物特徴が存在しない場合に、通常のナビゲーション情報を表示するための第２表示モジュール４５をさらに備えていてもよい。
【００５９】
なお、本実施形態に係る装置は、上記方法の実施形態に対応しており、具体的な内容は、方法の実施形態の関連説明を参照することができ、ここでは、詳しく説明しない。
【００６０】
本実施形態において、方向転換交差点の自然地物特徴を決定して表示することにより、自然地物特徴がユーザにより認識されやすいため、ユーザが迅速かつ正確にナビゲーションが案内する交差点を見いだすことを容易にし、ユーザエクスペリエンスを向上させることができる。
【００６１】
本発明の他の実施形態として、プロセッサと、プロセッサによって実行可能な命令を記憶するためのメモリとを備え、プロセッサが、現在位置及び方向転換交差点の位置を取得し、現在位置と方向転換交差点の位置との間の交差点特徴を分析して、方向転換交差点の自然地物特徴を決定し、方向転換交差点の自然地物特徴を表示するように構成される位置決め用装置をさらに提供する。
【００６２】
本発明の他の実施形態として提供される非一時的なコンピュータ読み取り可能な記憶媒体は、記憶媒体における命令が端末のプロセッサによって実行される場合に、端末が、現在位置及び方向転換交差点の位置を取得し、現在位置と方向転換交差点の位置との間の交差点特徴を分析して、方向転換交差点の自然地物特徴を決定し、方向転換交差点の自然地物特徴を表示するナビゲーション情報表示方法を実行する。
【００６３】
本発明の他の実施形態として提供されるコンピュータプログラム製品は、コンピュータプログラム製品における命令がプロセッサによって実行される場合に、現在位置及び方向転換交差点の位置を取得し、現在位置と方向転換交差点の位置との間の交差点特徴を分析して、方向転換交差点の自然地物特徴を決定し、方向転換交差点の自然地物特徴を表示するナビゲーション情報表示方法を実行する。
なお、上記各実施形態における同じ又は同様な部分は、相互参照することができ、いくつかの実施形態において、詳しく説明されていない内容は、他の実施形態における同じ又は同様な内容を参照することができる。
【００６４】
なお、本発明の説明において、「第１」、「第２」などの用語は、単に目的を説明するためのものであり、比較的な重要性を指示又は暗示すると理解してはいけない。また、本発明の説明において、他の説明がない限り、「複数」とは、二つ以上を意味する。
【００６５】
フローチャート、又はここで他の方式により説明されるいかなるプロセス又は方法の説明は、特定のロジック機能又はプロセスのステップを実現するための少なくとも一以上の実行可能な命令のコードを含むモジュール、セグメント又は部分と理解されてもよい。また、本発明の好ましい実施形態の範囲は、他の実現方式が含まれており、例示又は議論された順序に従わなくてもよく、言及された機能が実質的に同時に、又は逆の順序に応じて機能を実行することを含む。本発明の実施形態が属する技術分野の当業者は、これを理解すべきである。
【００６６】
なお、本発明の各部分は、ハードウェア、ソフトウェア、ファームウェア、又はこれらの組み合わせにより実現できる。上記実施形態では、複数のステップ又は方法は、メモリに記憶され、且つ適切なコマンド実行システムによって実行されるソフトウェア又はファームウェアにより実現することができる。例えば、ハードウェアにより実現される場合は、他の実施形態と同じく、本分野の以下の公知技術のうち何れか一つ又はこれらの組み合わせにより実現することができる。データ信号のロジック機能を実現するための論理ゲート回路を備えたディスクリート論理回路、適切な組み合わせ論理ゲート回路を備えた専用集積回路、プログラム可能なゲートアレイ（ＰＧＡ）、フィールドプログラム可能なゲートアレイ（ＦＰＧＡ）などである。
【００６７】
当業者は、上記実施形態に係る方法に含まれている全て又は一部のステップが、プログラムにより関連するハードウェアを命令することにより完成できることを理解できる。プログラムは、コンピュータ読み取り可能な媒体に記憶されてもよく、当該プログラムは実行時に、方法の実施形態における一つのステップ又はその組み合わせを含むことができる。
【００６８】
また、本発明の各実施形態に係る各機能ユニットは、一つの処理モジュールに集積されてもよく、各ユニットが物理的に独立して存在してもよく、２つ又は２つ以上のユニットが一つのモジュールに集積されてもよい。上記集積されたモジュールは、ハードウェアの形式により実現されてもよく、ソフトウェアの機能モジュールの形式により実現されてもよい。上記集積されたモジュールがソフトウェアの機能モジュールの形式により実現され、独立の製品として販売又は使用される場合、一つのコンピュータ読み取り可能な記憶媒体に記憶することもできる。
【００６９】
上記記憶媒体は、読み出し専用メモリや磁気ディスク、光ディスクなどであってもよい。
【００７０】
本明細書の説明において、「一実施形態」、「一部の実施例」、「一例」、「具体的な例」、或いは「一部の例」などの用語を参考した説明とは、当該実施形態或いは実施例に合わせて説明された具体的な特徴、構成、材料或いは特性が、本発明の少なくとも一つの実施形態或いは実施例に含まれることである。本明細書において、上記用語に対する例示的な説明は、必ずしも同じ実施形態或いは実施例を示すものではない。また、説明された具体的な特徴、構成、材料或いは特性は、いずれか一つ或いは複数の実施形態又は実施例において適切に結合することができる。
【００７１】
以上に本発明の実施形態を示して説明したが、上記実施形態は、例示的なものであり、本発明を限定するものと理解してはいけない。当業者は、本発明の範囲内に、上記実施形態に対して変化、修正、取り替え及び変形を行うことができる。
【００７２】
以下、本発明の実施形態を詳細に説明する。上記実施形態における一例が図面に示され、同一又は類似する符号は、常に同一又は類似するモジュール、或いは、同一又は類似する機能を有するモジュールを示す。以下に、図面を参照しながら説明される実施形態は例示的なものであり、本発明を解釈するためだけに用いられ、本発明を限定するものと理解してはいけない。逆に、本発明の実施形態は、添付の特許請求の範囲に含まれる要旨及び内包範囲におけるあらゆる変化・修正及び均等物を含む。
【００７３】
なお、本発明の説明において、「第１」、「第２」などの用語は、単に目的を説明するためのものであり、比較的な重要性を指示又は暗示すると理解してはいけない。また、本発明の説明において、他の説明がない限り、「複数」とは、二つ以上を意味する。
【００７４】
フローチャート、又はここで他の方式により説明されるいかなるプロセス又は方法の説明は、特定のロジック機能又はプロセスのステップを実現するための少なくとも一以上の実行可能な命令のコードを含むモジュール、セグメント又は部分と理解されてもよい。また、本発明の好ましい実施形態の範囲は、他の実現方式が含まれており、例示又は議論された順序に従わなくてもよく、言及された機能が実質的に同時に、又は逆の順序に応じて機能を実行することを含む。本発明の実施形態が属する技術分野の当業者は、これを理解すべきである。
【００７５】
なお、本発明の各部分は、ハードウェア、ソフトウェア、ファームウェア、又はこれらの組み合わせにより実現できる。上記実施形態では、複数のステップ又は方法は、メモリに記憶され、且つ適切なコマンド実行システムによって実行されるソフトウェア又はファームウェアにより実現することができる。例えば、ハードウェアにより実現される場合は、他の実施形態と同じく、本分野の以下の公知技術のうち何れか一つ又はこれらの組み合わせにより実現することができる。データ信号のロジック機能を実現するための論理ゲート回路を備えたディスクリート論理回路、適切な組み合わせ論理ゲート回路を備えた専用集積回路、プログラム可能なゲートアレイ（ＰＧＡ）、フィールドプログラム可能なゲートアレイ（ＦＰＧＡ）などである。
【００７６】
当業者は、上記実施形態に係る方法に含まれている全て又は一部のステップが、プログラムにより関連するハードウェアを命令することにより完成できることを理解できる。プログラムは、コンピュータ読み取り可能な媒体に記憶されてもよく、当該プログラムは実行時に、方法の実施形態における一つのステップ又はその組み合わせを含むことができる。
【００７７】
また、本発明の各実施形態に係る各機能ユニットは、一つの処理モジュールに集積されてもよく、各ユニットが物理的に独立して存在してもよく、２つ又は２つ以上のユニットが一つのモジュールに集積されてもよい。上記集積されたモジュールは、ハードウェアの形式により実現されてもよく、ソフトウェアの機能モジュールの形式により実現されてもよい。上記集積されたモジュールがソフトウェアの機能モジュールの形式により実現され、独立の製品として販売又は使用される場合、一つのコンピュータ読み取り可能な記憶媒体に記憶することもできる。
【００７８】
上記記憶媒体は、読み出し専用メモリや磁気ディスク、光ディスクなどであってもよい。
【００７９】
本明細書の説明において、「一実施形態」、「一部の実施例」、「一例」、「具体的な例」、或いは「一部の例」などの用語を参考した説明とは、当該実施形態或いは実施例に合わせて説明された具体的な特徴、構成、材料或いは特性が、本発明の少なくとも一つの実施形態或いは実施例に含まれることである。本明細書において、上記用語に対する例示的な説明は、必ずしも同じ実施形態或いは実施例を示すものではない。また、説明された具体的な特徴、構成、材料或いは特性は、いずれか一つ或いは複数の実施形態又は実施例において適切に結合することができる。
【００８０】
以上に本発明の実施形態を示して説明したが、上記実施形態は、例示的なものであり、本発明を限定するものと理解してはいけない。当業者は、本発明の範囲内に、上記実施形態に対して変化、修正、取り替え及び変形を行うことができる。
【図１】
2019522801.tif 000004
【図２】
2019522801.tif 000005
【図３】
2019522801.tif 000006
【図４】
2019522801.tif 000007
【図５】
2019522801.tif 000008
【国際調査報告】
2019522801.tif 000009
2019522801.tif 000010
2019522801.tif 000011
2019522801.tif 000012